(57)【要約】【課題】  携帯機器の防水構造において、部品数や組み立て工程を減少する。【解決手段】  携帯無線機１０の裏面に形成された開口部１２に装着され、開口部１２の周縁１９と接して開口部１２を閉塞する電池パック１１の周縁１９´にパッキン３２を設ける。こうすることで、パッキン３２が開口部１２の周縁１９に押し当てられ、隙間を塞ぐ。このように、電池パック１１にパッキン３２を取り付けたことにより、無線機本体１０と電池パック１１が嵌合する部分で防水性能を確保できる。そのため、無線機本体１０と電池パック１１が、個々に防水構造を必要としない。さらに、パッキン３２から内側に端子や電極を設けることで、それらを防水する必要がないため、防水部品を減少して組み立て工程を減少できる。【選択図】図１
2011114365.tif 000002
【特許請求の範囲】
【請求項１】
携帯機器本体と、前記携帯機器本体に着脱可能な装着部材と、前記携帯機器本体と前記装着部材との間にパッキンが挟みこまれた電子機器の防水構造において、
前記携帯機器本体は、厚みを一部切欠いた開口部を有し、
前記装着部材は、携帯機器本体と当接し前記開口部を閉塞する周縁を有し、かつ、前記周縁には前記パッキンを取り付けるための溝を備え、
一方、前記パッキンは、前記開口部の切欠に対応した立ち上がり部を有する３次元構造であることを特徴とする電子機器の防水構造。
【請求項２】
上記パッキンが開口部と接触する先端部の断面を略三角形とし、その三角形の頂点を底辺の中点より装着部材の外側に向けて、あるいは内側に向けてずらせた請求項１に記載の防水構造。
【請求項３】
上記装着部材が電池を収容した電池パックとし、その電池パックの出力端子及び前記出力端子と接続する入力端子を開口部内に設けた請求項１〜２のいずれかに記載の防水構造。
【発明の詳細な説明】
【技術分野】
【０００１】
この発明は、携帯機器の防水構造に関し、例えば、携帯型無線機本体と前記無線機本体に装着する電池パックなどの装着部材との防水構造に関するものである。
【背景技術】
【０００２】
例えば携帯型の無線機などの携帯機器は、アウトドアや作業現場で使用されることが多いため、防水機能が必須アイテムとなっている。
【０００３】
こうした防水機能を備えたものとして、例えば、図９の特許文献１に示すような携帯型の無線機がある。この無線機は、無線機本体１に、オプション用の電池パック２を装着して駆動時間を延長できるようにしたものである。
このような無線機では、従来、無線機本体１と電池パック２のそれぞれに、防水機構を備え、個々に防水することで、電池パック２を装着した際の防水特性を得る構成となっている。
すなわち、図９のように、無線機本体１は、開口部３のパネル４とケース５との間に防水パッキン（全周に必要）６を設ける構造としている。さらに、無線機本体１は、図９のように、電源端子部（電池パック２との接続用）７にも防水用のパッキン６を設ける構造としている。
一方、電池パック２は、ケースの接合面にパッキン６を取り付け、かつ、接続用の放電端子部８にパッキン６を設ける構造となっており、無線機本体１と電池パック２が、それぞれ、独立して防水性能を保持する構造とすることにより、無線機全体の防水性能を確保するというものである。
【先行技術文献】
【特許文献】
【０００４】
【特許文献１】特開２００９−２２８８６２号公報
【発明の概要】
【発明が解決しようとする課題】
【０００５】
しかしながら、上記の方法では、無線機本体や電池パックの防水を個別にするため、それぞれの防水機構に合わせた防水部品を準備しなければならない。さらに、無線機本体や電池パックのみならず、無線機本体の電源端子や電池パックの放電端子なども防水構造としなければならないため、防水用の部品を多数準備しなければならず、それに伴う組み立て工程も多くなるという問題を抱えていた。
【０００６】
そこで、この発明の課題は、携帯機器の防水構造において、部品数や組み立て工程を減少できるようにすることである。
【課題を解決するための手段】
【０００７】
上記の課題を解決するため、この発明では、携帯機器本体と、前記携帯機器本体に着脱可能な装着部材と、前記携帯機器本体と前記装着部材との間にパッキンが挟みこまれた電子機器の防水構造において、前記携帯機器本体は、厚みを一部切欠いた開口部を有し、前記装着部材は、携帯機器本体と当接し前記開口部を閉塞する周縁を有し、かつ、前記周縁には前記パッキンを取り付けるための溝を備え、一方、前記パッキンは、前記開口部の切欠に対応した立ち上がり部を有する３次元構造である構成を採用したのである。
【０００８】
このような構成を採用することにより、開口部に装着部材を取り付けると、装着部材の周縁に取り付けたパッキンが開口部の周縁に押し当てられ、装着部材と開口部の隙間を塞ぐことで防水する。このとき、パッキンに切欠きに対応した立ち上がり部を設けたことにより、携帯機器の厚みを一部切欠いた開口部に合わせて、パッキンの当たり面が常に開口部の周縁に接するようにできるため、防水特性を得ることができる。
このように、パッキンの当たり面をパッキンの全周に亘って同一方向とせずに、携帯機器本体の開口部の形状に合わせた３次元構造としたので、厚みを切欠いた立ち上（下）がりの防水も一つのパッキンで行うことができる。そのため、防水構造をコンパクトにできる。
また、携帯機器に装着部材を取り付けた際に、携帯機器本体と装着部材を一体にして防水するので、個別に防水を行うよりも部品数及び組み立て工数の減少が図れる。
【０００９】
このとき、上記パッキンが開口部と接触する先端部の断面を略三角形とし、その三角形の頂点を底辺の中点より装着部材の外側に向けて、あるいは内側に向けてずらせた構成を採用することができる。
【００１０】
このような構成を採用することにより、パッキンは、三角形の頂点を外側あるいは内側のいずれかの同一方向にずらせた形状としたことで、パッキンを機器本体の開口部の周縁に押圧した際に、同一方向に潰れて水の浸入を防止するので、安定した防水特性を得ることができる。
【００１１】
また、このとき、上記装着部材が電池を収容した電池パックとし、その電池パックの放電端子及びその放電端子と接続する機器本体の電源端子を開口部内に設けた構成を採用することができる。
【００１２】
このような構成を採用することにより、電池パックの放電端子と機器本体の電源端子の防水も同時にできるため、部品数及び組み立て工数の減少が図れる。
【発明の効果】
【００１３】
この発明は、以上のように構成したことにより、携帯機器本体と装着部材を一体に防水できる。そのため、防水部品の点数を減少し、かつ、組み立て工数の削減が図れる。
【図面の簡単な説明】
【００１４】
【図１】実施形態の分解斜視図
【図２】（ａ）裏面側からの電池パックの斜視図、（ｂ）先端部分の溝の正面図
【図３】電池パックの周縁の拡大図
【図４】パッキンの斜視図
【図５】パッキンの先端部の断面図
【図６】電池パックの取り付け時の作用説明図
【図７】電池パックの取り付け時の作用説明図
【図８】電池パック装着時の斜視図
【図９】従来例の作用説明図
【発明を実施するための形態】
【００１５】
以下、この発明を実施するための形態を図面に基づいて説明する。
この形態の携帯機器は、図１に示す携帯型の無線機で、無線機本体１０と電池パック１１とで構成されている。
無線機本体１０は、図１に示すように、樹脂製ケースの裏面全体に亘って厚みの一部（１／３程度）を切欠いた開口部１２が形成されており、ここでは、開口部１２以外（例えば、スイッチ、スピーカー、デイスプレイなど）は防水された構造となっている。
前記開口部１２は、図１のものでは、上部ケース１３を残した形状となっており、開口部１２を構成する上部ケース１３の左右の周縁１９は、Ｒを付けた形状となっている。また、上部ケース１３の周縁１９の両端付近には、無線機本体１０の正面側に向かって、ツメ止め１４が両端に設けられており、後述するように電池パック１１の係合用のツメ１５を掛けるようになっている。
また、無線機本体１０の下部には、係止用のツメ１６とフック１７が設けられており、後述のように、電池パック１１を固定できるようになっている。
一方、開口部１２は、ケースから一段下げてアルミ板による隔壁１８を設けて内部の回路が露出しないようにしており、開口部１２の周縁１９は、樹脂製ケースの厚みを利用して電池パック１１との接触部を形成するようにしてある。
この開口部１２の上方には、２個の電源端子２０が設けられている。前記端子２０は、図１のように、隔壁１８に形成された段部２１に貫通孔２２を設け、その貫通孔２２内に、無線機本体１０側に設けられたホルダー２３を通すことによって係合させて支持するようになっており、内部回路への給電ができる構造となっている。また、電源端子２０の間の突起３１はストッパーで、取り付けの際、電池パック１１の進出を止めて電源端子２０を保護するためのものである。
【００１６】
電池パック１１は、図１のように、樹脂製の四角いトレー状のもので、上部を開放した形状となっている。この開放された上部の両側は、図２のように、Ｒをつけた形状となっており、両側のＲを含む電池パック１１の周縁１９´は、無線機本体１０の開口部１２との接触部となるように形成されている。
また、この上部には、係合用のツメ１５が左右に設けてあって、無線機本体１０の上部ケース１３に設けたツメ止め１４に嵌るようになっている。さらに、電池パック１１の下部には、図１のように、段差２４と凹部２５が設けてあって、それぞれ、無線機本体１０のツメ１６とフック１７を嵌めるようになっている。
一方、トレー状の電池パック１１の内側には、外側の周縁１９´より突出した内壁２６を設けて乾電池（ここでは単三）２７を収容するようになっており、前記周縁１９´の内側に設けた内壁２６は、後述のように、無線機本体１０の開口部１２に嵌り込むようになっている。
また、この形態では、図１のように、内壁２６の内側に仕切り２８を設けて６コの乾電池２７を並列に配置するようになっており、前記内壁２６の左右に設けられた電極２９を介して上部の放電電極３０と接続するようになっている（図２参照）。
また、外側の周縁１９´には、溝３３を設けてパッキン３２を取り付けるようにしてある。
すなわち、電池パック１１の周縁１９´に沿って、その周縁１９´の端面に溝（ここでは端面の半分程度の幅）３３を形成して、この溝３３にパッキン３２を取り付けることでパッキン３２が電池パック１１を一周するようにしてある。
また、前記溝３３には、図３のような、パッキン３２の抜け止め用の突起３４と、図１、図２に示すような、位置決め用の凹部３５が設けられている。
【００１７】
他方、パッキン３２は、ゴムまたは樹脂などの弾性材からなる耐水性を有するもので、図４のように、先端部を折り曲げた３次元構造に成形して、無線機本体１０の開口部１２の切欠に対応するように略垂直に立ち上がる立ち上がり部分を有するようになっている。
このように、パッキン３２を３次元構造とすることで、パッキン３２の当たり面が常に無線機本体１０の開口部１２の周縁１９の接触部に当たるようにしてある。
すなわち、パッキン３２の当たり面をパッキン３２の全周に亘って同一方向とせずに、無線機本体１０の開口部１２の形状に合わせた３次元構造としたので、垂直方向の防水も一つのパッキン３２でできる。例えば、パッキン３２の当たり面を全周に亘って水平方向のみの同一方向とした場合、パッキン３２を取り付ける溝３３を設けるために必要な大きさだけ無線機本体１０の縦寸法を大きくする必要があるが、パッキン３２を３次元構造としているため、溝３３を設けるためのスペースが不要であるため、防水構造をコンパクトにできる。
その際、パッキン３２の前記開口部１２と接触する先端部（当たり面）４０の断面を、図５の鎖線で示すように、略三角形としてある。そして、その三角形の頂点をパッキンの中点より外側（電池パックに取り付けた際、外側に向くように）に向けてずらせた形状としてある。このような断面形状とすることにより、図７のように、無線機本体１０の開口部１２の周縁１９に押圧した際、パッキン３２が同一方向（好ましくは外向き）に潰れて安定した防水特性を得られるようにして、水などの浸入が起き難くしてある。
なお、ここでは、パッキン３２の先端部４０の頂点をパッキン３２の中点より外側に向けた場合を示したが、これに限定されるものではない。パッキン３２が同一方向（好ましくは外向き）に潰れて安定した防水特性を得られれば良いので、条件が許せば、内側に向けるようにしてもよい。
また、パッキン３２には、図４のように、突部４１を形成し、前記突部４１を前述の溝３３の凹部３５に嵌めることで位置決めするようになっており、取り付け時にパッキン３２がねじれることを防止することで当たり面を一定にし、かつ、組み立ても容易にできるようにしてある。
さらに、溝３３に嵌めたパッキンの溝３３からの離脱を防止するため、図２（ｂ）のように、溝３３のパッキン３２の折り曲げ部分を嵌めるカーブ位置を肉厚３６とし、溝３３の幅を狭くしてある。
【００１８】
この形態は、上記のように構成されており、図１のように、電池パック１１は、周縁１９´の溝３３にパッキン３２が取り付けられ、乾電池２７を収容したのち、収容した乾電池２７が無線機本体１０の開口部１２に臨むようにして装着する。その際、電池パック１１のツメ１５を無線機本体１０の上部ケース１３のツメ止め１４に嵌め、押し込むようにして回動し、無線機本体１０の開口部１２に電池パック１１の内壁２６を嵌める。すると、電池パック１１の下部の段差２４（裏面側）に、無線機本体１０の後部のツメ１６が嵌り電池パック１１を係止するので、電池パック１１の凹部２５にフック１７を嵌めると、図８のように装着が完了する。
このとき、電池パック１１の周縁１９´は、図６→図７に示すように、パッキン３２が一方向に潰れ（パッキン３２の頂点と無線機本体１０の周縁１９とが垂直に接触するようにガイドして補助する）、さらに、電池パック１１の内壁２６が開口部１２に嵌まり込んで、水の浸入を防ぐ。したがって、開口部１２の内部は安定した防水特性が得られる。また、このとき、開口部１２の内部の電源端子２０と放電電極３０の接続も完了する。
【００１９】
このように、電池パック１１にパッキン３２を取り付けたことにより、無線機本体１０と電池パック１１が嵌合する部分で防水性能を確保できる。そのため、無線機本体１０と電池パック１１は、個々に防水構造を必要としない。さらに、パッキン３２から内側の端子２９や電極３０については防水の必要がないため、端子用や電極用の防水部品も削減できる。
したがって、無線機本体１０と電池パック１１の防水を確保しつつ、防水部品の削減を図り、かつ、組み立て工程の削減を図ることができる。
【００２０】
なお、この形態では、装着部材として電池パック１１について述べたが、装着部材は、電池パック１１に限定されるものではない。開口部１２を有する携帯機器に取り付けるものであれば、機能を付加したり、強化したりするものにも適用可能である。また、携帯機器は、無線機に限定されるものではない。そのため、本体と別部品となっているカバー類にも適用可能である。
また、実施形態では、裏面全体に亘って開口部１２を形成したものについて述べたが、これに限定されるものではない。開口部は、一部であっても構わない。
【符号の説明】
【００２１】
１０  無線機本体
１１  電池パック
１２  開口部
１３  上部ケース
１９  周縁
１９´  周縁
２０  電源端子
２６  内壁
３０  放電電極
３２  パッキン
３３  溝
４０  先端部
【図１】
2011114365.tif 000003
【図２】
2011114365.tif 000004
【図３】
2011114365.tif 000005
【図４】
2011114365.tif 000006
【図５】
2011114365.tif 000007
【図６】
2011114365.tif 000008
【図７】
2011114365.tif 000009
【図８】
2011114365.tif 000010
【図９】
2011114365.tif 000011